(57)【特許請求の範囲】
【請求項１】
水中ポンプの運転制御を行なう水中ポンプ用制御盤において、
前記水中ポンプを据え付けた据付現地にて前記水中ポンプの締切運転を行った際の締切運転電流値を測定する締切運転電流値測定手段と、
前記締切運転電流値に基づいて空運転判断基準電流値を設定する空運転判断基準電流値入力設定手段と、
前記水中ポンプ運転時の運転電流値を測定し、該運転電流値が前記空運転判断基準電流値になったときに前記水中ポンプへの電力供給を停止するポンプ停止手段と、を具備することを特徴とする水中ポンプ用制御盤。
【請求項２】
請求項１に記載の水中ポンプ用制御盤において、
前記空運転判断基準電流値入力設定手段は、前記締切運転電流値を予め定められた減少率にて減少させた数値を前記空運転判断基準電流値とすることを特徴とする水中ポンプ用制御盤。
【請求項３】
水中ポンプの運転制御を行なう水中ポンプ用制御盤の制御方法において、
前記水中ポンプを据え付けた据付現地にて前記水中ポンプの締切運転を行いその締切運転電流値を測定して表示する締切運転電流値測定工程と、
前記締切運転電流値に基づいて空運転判断基準電流値を設定する空運転判断基準電流値入力設定工程と、
前記水中ポンプ運転時の運転電流値を測定し、該運転電流値が前記空運転判断基準電流値になったときに前記水中ポンプへの電力供給を停止するポンプ停止工程と、を具備することを特徴とする水中ポンプ用制御盤の制御方法。
【請求項４】
請求項３に記載の水中ポンプ用制御盤の制御方法において、
前記空運転判断基準電流値入力設定工程は、前記締切運転電流値を予め定められた減少率にて減少させた数値を前記空運転判断基準電流値とすることを特徴とする水中ポンプ用制御盤の制御方法。
【発明の詳細な説明】
【技術分野】
【０００１】
本発明は水中ポンプの運転を制御する水中ポンプ用制御盤に関し、特に水中ポンプ周囲の水位変動によるポンプの空運転を容易且つ確実に防止することができる水中ポンプ用制御盤及びその制御方法に関するものである。
【背景技術】
【０００２】
水中ポンプを自動運転する場合には、一般に専用の水中ポンプ用制御盤を用いてその運転が制御される。そして水中ポンプの運転によりポンプ周囲の水位が低下してポンプ及びポンプ駆動用のモータが気中に露出する場合があるが、そのような状態でポンプを継続運転（空運転）すると、ポンプの摺動部に異常が発生したり、ポンプが周囲の水を吸い込む際にモータ周囲を通過する水の流速により冷却されるモータも冷却されなくなり、またモータ自体も気中に露出する等により異常な温度上昇となり、水中ポンプの故障の原因となる。
【０００３】
ところが例えば深井戸用水中ポンプの場合は、水中ポンプを地下数百メートルの位置に据え付けることも珍しくないため、水中ポンプの故障等による引き上げや再据付は非常に時間と費用がかかり容易ではない。このため水中ポンプを運転制御する水中ポンプ用制御盤にはポンプの空運転を防止する機能を設ける場合が多い。
【０００４】
そして水中ポンプの空運転を防止する従来の方法としては、水位検知器を用いて水位を直接監視し、ポンプやモータが露出するほど水位が低下した場合にポンプを停止する方法（例えば特許文献１参照）や、ポンプ吐出圧力の圧力検出手段（圧力計）とポンプ吐出水量の検出手段（流量計）とを用いて空運転状態を検知してポンプを停止する方法や、水中ポンプ用制御盤に予め工場において空運転判断基準電流値を設定しておいてその電流値になったら空運転状態であると判断してポンプを停止する方法等が用いられていた。
【０００５】
しかしながら、深井戸用水中ポンプのようにポンプの据付位置が地下数百メートルに及ぶ場合には、水位検知器が高価になる。またポンプの吐出圧力や吐出水量を検出する方法も圧力計や流量計等の検出手段を備える必要があるためコストが高くなってしまう。
【０００６】
また前述のように水中ポンプの空運転を電流値で検知する方法の場合は、空運転の判断基準とする空運転判断基準電流値は、〔モータ無負荷電流値〕＜〔空運転判断基準電流値〕＜〔締切運転電流値〕とする必要がある。ここでモータ無負荷電流値とは、ポンプを付けないで無負荷状態のモータだけで運転したときの電流値をいい、締切運転電流値とはポンプ吐出側のバルブを閉じた状態で水中ポンプを運転したときの電流値をいう。そして空運転判断基準電流値は、締切運転電流値よりも若干低い程度（減少率〔０〜５％〕程度）の電流値となるように設定する必要がある。何故なら、実際に空運転した際の電流値が空運転判断基準電流値より高い場合、電流値が空運転判断基準電流値を下回らないので、たとえ空運転状態になってもポンプを停止することができない恐れがあるからである。つまり実際に空運転した場合の電流値が空運転判断基準電流値を下回らないといった状況を避けて確実にモータを保護するために、空運転判断基準電流値を締切運転電流値よりも若干低い程度の電流値（即ち確実に実際の空運転時の電流値よりも高い電流値）に設定するのである。従って同一機種のポンプに同一機種のモータを取り付けた水中ポンプを同一据付け状態で設置するような場合であれば、原則として前記モータ無負荷電流値や締切運転電流値が変化しないので、空運転判断基準電流値を予め決定し、工場における水中ポンプ用制御盤の製造時に予め前記空運転判断基準電流値を設定・記憶させておくことができる。
【０００７】
しかしながら水中ポンプを構成するモータやポンプには多数の機種があり、例えば同じ出力のモータを使用しても運転するポンプの種類によって締切運転電流値が異なる。また例え同一機種の水中ポンプであっても、水中ポンプと水中ポンプ用制御盤の据付け位置に応じてモータの電源ケーブルを延長する際の線径や長さが異なる等するため、締切運転電流値が異なってしまう。締切運転電流値が異なると空運転判断基準電流値も異なってしまう。このため前記膨大な条件変化を考慮して、空運転判断基準電流値を予め工場出荷時に水中ポンプ用制御盤に設定しておくことは事実上非常に困難であった。
【特許文献１】特開２００３−３３６２９６号公報
【発明の開示】
【発明が解決しようとする課題】
【０００８】
本発明は上述の点に鑑みてなされたものでありその目的は、複数の機種があったり、異なる状況の設置現場に設置される水中ポンプであっても、高い精度で空運転を防止することができる水中ポンプ用制御盤及びその制御方法を提供することにある。
【課題を解決するための手段】
【０００９】
上記課題を解決するため本発明は、水中ポンプの運転制御を行なう水中ポンプ用制御盤において、前記水中ポンプを据え付けた据付現地にて前記水中ポンプの締切運転を行った際の締切運転電流値を測定する締切運転電流値測定手段と、前記締切運転電流値に基づいて空運転判断基準電流値を設定する空運転判断基準電流値入力設定手段と、前記水中ポンプ運転時の運転電流値を測定し、該運転電流値が前記空運転判断基準電流値になったときに前記水中ポンプへの電力供給を停止するポンプ停止手段とを具備することを特徴とする水中ポンプ用制御盤にある。
【００１０】
また、本発明は、上記水中ポンプ制御盤において、前記空運転判断基準電流値入力設定手段は、前記締切運転電流値を予め定められた減少率にて減少させた数値を前記空運転判断基準電流値とすることを特徴とする水中ポンプ用制御盤にある。
【００１１】
また、本発明は、水中ポンプの運転制御を行なう水中ポンプ用制御盤の制御方法において、前記水中ポンプを据え付けた据付現地にて前記水中ポンプの締切運転を行いその締切運転電流値を測定して表示する締切運転電流値測定工程と、前記締切運転電流値に基づいて空運転判断基準電流値を設定する空運転判断基準電流値入力設定工程と、前記水中ポンプ運転時の運転電流値を測定し、該運転電流値が前記空運転判断基準電流値になったときに前記水中ポンプへの電力供給を停止するポンプ停止工程とを具備することを特徴とする水中ポンプ用制御盤の制御方法にある。
【００１２】
また、本発明は、上記水中ポンプ制御盤の制御方法において、前記空運転判断基準電流値入力設定工程は、前記締切運転電流値を予め定められた減少率にて減少させた数値を前記空運転判断基準電流値とすることを特徴とする水中ポンプ用制御盤の制御方法にある。
【発明の効果】
【００１３】
本発明によれば、水中ポンプを据え付けた据付現地にて水中ポンプの締切運転を行った際の締切運転電流値を測定する締切運転電流値測定手段と、締切運転電流値に基づいて空運転判断基準電流値を設定する空運転判断基準電流値入力設定手段と、水中ポンプ運転時の運転電流値を測定し、該運転電流値が空運転判断基準電流値になったときに前記水中ポンプへの電力供給を停止するポンプ停止手段とを具備するので、据付現地にて締切運転を行なうだけで締切運転電流値を得ることができ、またこの締切運転電流値を用いて求めたこの水中ポンプ特有の空運転判断基準電流値（締切運転電流値を予め定めておいた減少率〔０〜５％〕にて減少させた数値）を入力して設定するだけで、従来のように直接井戸水位を検知するための水位検知器や、吐出圧力検知器や、流量検知器などを用いることなく、また使用する水中ポンプの機種や接続する電源ケーブルの長さによる電圧降下などを考慮することなく、高い精度で容易且つ確実に水中ポンプの空運転を防止することができる。
【００１４】
また、本発明によれば、水中ポンプを据え付けた現地にて締切運転を行い締切運転電流値を測定するのみで、該締切運転電流値を予め定められた減少率にて減少させた数値を空運転判断基準電流値とするので、従来のように直接井戸水位を検知するための水位検知器や、吐出圧力検知器や、流量検知器などを用いることなく、また使用する水中ポンプの機種や接続する電源ケーブルの長さによる電圧降下などを考慮することなく、高い精度で容易且つ確実に水中ポンプの空運転を防止することができる。
【発明を実施するための最良の形態】
【００１５】
以下、本発明の実施形態を図面を参照して詳細に説明する。
〔第１実施形態〕
図１は本発明の第１実施形態にかかる水中ポンプ用制御盤（以下単に「制御盤」という）１０を適用した深井戸水中ポンプ装置１００の概略構成図である。同図に示すように深井戸水中ポンプ装置１００は、井戸（深井戸）１２０内に水中ポンプ（水中モータポンプ）１３０を設置し、その吐出配管となる揚水管１４０を地上まで引き出し、その先端を貯水槽１５０に接続し、一方水中ポンプ１３０から引き出される電源ケーブル１６０を地上に設置した制御盤１０に接続している。電源ケーブル１６０は制御盤１０からさらに引き出され、図示しない三相交流電源に接続されており、制御盤１０はこの電源から受電した交流電力を水中ポンプ１３０に供給する。水中ポンプ１３０の設置位置により電源ケーブル１６０の長さが決定され、接続する電源ケーブル１６０の長さが長くなる場合には、線径の太いケーブルが使用される。
【００１６】
水中ポンプ１３０は、その下部にモータ部１３１、その上部に水中ポンプ部１３３を設置して構成されており、前記電源ケーブル１６０から供給される交流電力によってモータ部１３１が駆動して水中ポンプ部１３３が運転される。揚水管１４０は金属等からなる管であり、その下端が前記水中ポンプ部１３３の吐出口に接続され、上端が貯水槽１５０に接続されている。揚水管１４０の地上に位置する途中部分には揚水管締切用のポンプ吐出バルブ（以下単に「バルブ」という）１４１が取り付けられている。
【００１７】
制御盤１０には、その表面の所定位置に表示兼操作部２０が設けられている。図２はこの表示兼操作部２０を示す図である。また図３は本実施形態にかかる制御盤１０の制御部の内の空運転判定制御に関係する部分である空運転判定制御部５０を示すブロック構成図である。
【００１８】
図２に示すように表示兼操作部２０は各種表示及び入力用のスイッチを具備しており、具体的には、デジタル表示を行なう表示部２１，電源オンと共に点灯する電源ランプ２３，表示部２１に電流が表示されているときに点灯する電流ランプ２７，自動運転スイッチ４１，自動運転表示ランプ４２，停止スイッチ４３，手動運転スイッチ４５，手動運転表示ランプ４６等を有して構成されている。なお図示はしていないが、上記以外にも各種ランプやスイッチが設けられている。
【００１９】
一方図３に示すように、制御盤１０の空運転判定制御部５０はコンピュータ制御が行なわれており、前記表示兼操作部２０と、電源（三相交流電源）から水中ポンプ１３０に供給される電流値を検出する電流検出器５１と、電源から水中ポンプ１３０への電力の供給をオンオフするスイッチ手段５３と、外部から入力される空運転判断基準電流値を記憶しておく記憶手段５５と、この空運転判断基準電流値と前記電流検出器５１にて検出した電流値とを比較する比較器５７とを具備して構成されている。電流検出器５１にて検出した電流値は比較器５７に出力されるとともに表示兼操作部２０にも出力される。表示兼操作部２０は外部から空運転判断基準電流値を入力するとともに、その値を記憶手段５５に出力して記憶させる。
【００２０】
図４は深井戸水中ポンプ装置１００を現地へ据付けた時から制御盤１０に空運転判断基準電流値を入力・設定（保存）して通常運転を開始するまでの操作手順フロー図である。図４及び図１〜図３を参照しながら、深井戸水中ポンプ装置１００の現地への据付けから制御盤１０に空運転判断基準電流値を入力して通常運転を行なうまでの操作手順を説明する。即ちまず図１に示すように、井戸１２０内に水中ポンプ１３０を設置し、その際揚水管１４０の下端を水中ポンプ１３０に接続し、揚水管１４０の上端を貯水槽１５０に接続し、また水中ポンプ１３０に接続されている電源ケーブル１６０を制御盤１０に接続し、さらに制御盤１０から引き出される電源ケーブル１６０を三相交流電源に接続する。そして制御盤１０の電源をオンする（ステップ１）。このとき表示兼操作部２０の電源ランプ２３と電流ランプ２７が点灯し、表示部２１に電流値「０．０」が表示される。
【００２１】
次に図１に示すバルブ１４１を完全に締め切る（ステップ２）。次に表示兼操作部２０の自動運転スイッチ４１を押圧して水中ポンプ１３０を起動させる（ステップ３）。
【００２２】
このとき表示部２１には前記電流検出器５１によって検出された水中ポンプ１３０の電流値が表示されるが、水中ポンプ１３０は締切り運転状態であるため、この電流値は締切運転電流値である（ステップ４）。そして操作者はこの締切運転電流値を記録しておく。そして操作者は停止スイッチ４３を押圧して一旦水中ポンプ１３０の運転を停止する（ステップ５）。
【００２３】
次に測定した締切運転電流値を用いてこの締切運転電流値よりも所定の減少率（０〜５％の内の予め定めておいた何れかの数値、例えば２％）だけ低減した数値を算出し、その数値を空運転判断基準電流値とする（ステップ６）。次に操作者は、前記算出した空運転判断基準電流値を制御盤１０に入力・設定（保存）する（ステップ７）。たとえば表示兼操作部２０の各種スイッチを操作することで、制御盤１０を内部コード設定モードとし、表示部２１に表示される内部コードを空運転判断基準電流値設定用の内部コードに切り換え、前記各種スイッチを操作することで前記空運転判断基準電流値を制御盤１０に手動にて入力し設定（記憶）する。その後各種スイッチを操作することでポンプ運転可能状態に戻す。
【００２４】
なおこの例において減少率を０〜５％の範囲の何れかの値としたのは、前記背景技術の欄で説明したように、実測した締切運転電流値と空運転判断基準電流値との差を最大でも−５％と僅かにすることで、実際に空運転する際の電流値よりも空運転判断基準電流値が下回らず、これによって空運転しても電流値が空運転判断基準電流値を下回らずに空運転を継続してしまうことを防止するためである。
【００２５】
以上のようにして制御盤１０に空運転判断基準電流値を設定した後、バルブ１４１を開き（ステップ８）、自動運転スイッチ４１を押圧することでポンプの自動運転を開始すれば（ステップ９）、図１に示す水中ポンプ１３０の駆動が開始されて井戸１２０内の水がバルブ１４１を開いた揚水管１４０を介して地上の貯水槽１５０に揚水されていく。
【００２６】
そしてこの制御盤１０では、水中ポンプ１３０の運転中は図３に示すように常に（又は定期的に）電流検出器５１によって水中ポンプ１３０に供給されている電流値を測定し、その測定電流値と前記設定した空運転判断基準電流値とを比較器５７において比較し、測定電流値が空運転判断基準電流値よりも小さくなった場合（即ち空運転状態と判断した場合）は、停止信号がスイッチ手段５３に出力されてスイッチ手段５３をオフにすることで水中ポンプ１３０への電力の供給を遮断し、水中ポンプ１３０を停止する。
【００２７】
以上のように、制御盤１０は、水中ポンプ１３０を据え付けた据付現地にて水中ポンプ１３０の締切運転を行った際の締切運転電流値を測定して表示する締切運転電流値測定（表示）手段（電流検出器５１やその電流値を表示する表示兼操作部２０（その表示部２１）がこれに相当する）と、前記据付現地にて空運転判断基準電流値を入力して設定する空運転判断基準電流値入力設定手段（記憶手段５５や記憶手段５５に入力設定を行なう表示兼操作部２０（その各種スイッチ）がこれに相当する）と、水中ポンプ運転時の電流値を測定してその電流値が前記空運転判断基準電流値になったときに前記水中ポンプへの電力供給を停止するポンプ停止手段（電流検出器５１や空運転判断基準電流値を記憶した記憶手段５５や比較器５７やスイッチ手段５３がこれに相当する）とを具備している。またこの制御盤１０の制御方法は、水中ポンプ１３０を据え付けた据付現地にて水中ポンプ１３０の締切運転を行った際の締切運転電流値を測定して表示する締切運転電流値測定工程と、前記締切運転電流値から求められる空運転判断基準電流値を入力して設定する空運転判断基準電流値入力設定工程と、前記水中ポンプ１３０運転時の電流値を測定してその電流値が前記空運転判断基準電流値になったときに前記水中ポンプ１３０への電力供給を停止するポンプ停止工程とを具備している。
【００２８】
そして制御盤１０によれば、水中ポンプ１３０を据え付けた現地にて締切運転を行なうだけで締切運転電流値を得ることができ、即ち現地の使用条件における水中ポンプ１３０の実際の締切運転電流値を得ることができ、またこの締切運転電流値を用いて求めたこの水中ポンプ１３０特有の空運転判断基準電流値（前記締切運転電流値を予め定めておいた減少率〔０〜５％〕にて減少させた数値）を現地で手動入力にて設定するだけで、従来のように直接井戸水位を検知するための水位検知器や、吐出圧力検知器や、流量検知器などを用いることなく、また使用する水中ポンプの機種や接続する電源ケーブルの長さによる電圧降下などを考慮することなく、高い精度で容易且つ確実に水中ポンプの空運転を防止することができる。
【００２９】
〔第２実施形態〕
図５は本発明の第２実施形態にかかる水中ポンプ用制御盤（以下単に「制御盤」という）１０の制御部内の空運転判定制御に関係する部分である空運転判定制御部５０を示すブロック構成図である。なおこの実施形態において、前記図１〜図４に示す実施形態と同一又は相当部分には同一符号を付す。なお以下で説明する事項以外の事項については、前記図１〜図４に示す実施形態と同じである。
【００３０】
同図に示すようにこの空運転判定制御部５０はコンピュータ制御が行なわれており、表示兼操作部２０と、電源（三相交流電源）から水中ポンプ１３０に供給される電流値を検出する電流検出器５１と、電源から水中ポンプ１３０への電力の供給をオンオフするスイッチ手段５３と、前記電流検出器５１によって測定された電流値を入力して空運転判断基準電流値を演算によって算出する演算器５９と、演算器５９によって算出された空運転判断基準電流値を記憶しておく記憶手段５５と、この空運転判断基準電流値と前記電流検出器５１で検出した電流値とを比較する比較器５７とを具備して構成されている。電流検出器５１で検出した電流値は比較器５７に出力されるとともに演算器５９と表示兼操作部２０にも出力される。演算器５９は電流検出器５１で検出した締切運転電流値を入力してこの締切運転電流値から空運転判断基準電流値を算出し、算出した空運転判断基準電流値を記憶手段５５に出力するものである。電流検出器５１から演算器５９に入力される電流値が締切運転電流値であるか否かの判断は、表示兼操作部２０から現在締切運転電流値を演算するモードである信号が演算器５９に入力されることによって行なう。表示兼操作部２０は前記実施形態と同様の機能を有するが、但し外部から空運転判断基準電流値を入力する内部コード設定モードはなく、その代りに空運転判断基準電流値を演算器５９に演算させる内部コード設定モードを有している。
【００３１】
図６は深井戸水中ポンプ装置１００を現地へ据付けた時から制御盤１０に空運転判断基準電流値を設定して通常運転を開始するまでの操作手順フロー図である。図６及び図１〜図３，図５を参照しながら、深井戸水中ポンプ装置１００の現地への据付けから制御盤１０に空運転判断基準電流値を設定して通常運転を行なうまでの操作手順を説明する。即ちまず図１に示すように、井戸１２０内に水中ポンプ１３０を設置し、その際揚水管１４０の下端を水中ポンプ１３０に接続し、揚水管１４０の上端を貯水槽１５０に接続し、また水中ポンプ１３０に接続されている電源ケーブル１６０を制御盤１０に接続し、さらに制御盤１０から引き出される電源ケーブル１６０を三相交流電源に接続する。そして制御盤１０の電源をオンする（ステップ１）。このとき表示兼操作部２０の電源ランプ２３と電流ランプ２７が点灯し、表示部２１に電流値「０．０」が表示される。
【００３２】
次に表示兼操作部２０の各種スイッチを操作することで、空運転判断基準電流値を演算器５９に演算させるモードに設定する（ステップ２）。これによってそのモードに設定されたことの信号が表示兼操作部２０から演算器５９に入力される。次に図１に示すバルブ１４１を完全に締め切る（ステップ３）。次に表示兼操作部２０を操作して水中ポンプ１３０を起動させる（ステップ４）。これによって電流検出器５１から演算器５９に入力される電流値を締切運転電流値とし、演算器５９はこの締切運転電流値よりも所定の減少率（０〜５％の内の予め定めておいた何れかの数値、例えば２％）だけ低減した数値を演算し、その数値を空運転判断基準電流値として記憶手段５５に記憶させる（ステップ５）。その後水中ポンプ１３０の運転を一旦停止し、バルブ１４１を開く（ステップ６，７）。そして表示兼操作部２０を操作することで通常のポンプ運転可能状態とし、自動運転スイッチ４１を押圧することでポンプの自動運転を開始すれば（ステップ８）、図１に示す水中ポンプ１３０の駆動が開始されて井戸１２０内の水が揚水管１４０を介して貯水槽１５０に揚水されていく。一方水中ポンプ１３０の運転中は図５に示すように常に（又は定期的に）電流検出器５１によって水中ポンプ１３０に供給されている電流値が測定されているので、その測定電流値と前記設定した空運転判断基準電流値とを比較器５７において比較し、測定電流値が空運転判断基準電流値よりも小さくなった場合は、停止信号がスイッチ手段５３に出力されてスイッチ手段５３をオフにすることで水中ポンプ１３０への電力の供給を遮断し、水中ポンプ１３０を停止する。
【００３３】
以上のように、この制御盤１０は、水中ポンプ１３０を据え付けた据付現地にて水中ポンプ１３０の締切運転を行った際の締切運転電流値を測定する締切運転電流値測定手段（電流検出器５１がこれに相当する）と、締切運転電流値を予め定めておいた減少率にて減少させた数値を空運転判断基準電流値として自動演算する空運転判断基準電流値自動算出手段（演算器５９がこれに相当する）と、水中ポンプ運転時の電流値を測定してその電流値が空運転判断基準電流値になったときに水中ポンプ１３０への電力供給を停止するポンプ停止手段（電流検出器５１や空運転判断基準電流値を記憶した記憶手段５５や比較器５７やスイッチ手段５３がこれに相当する）とを具備している。また制御盤１０の制御方法は、水中ポンプ１３０を据え付けた据付現地にて水中ポンプ１３０の締切運転を行った際の締切運転電流値を測定する締切運転電流値測定工程と、前記締切運転電流値を予め定めておいた減少率にて減少させた数値を空運転判断基準電流値として自動演算する空運転判断基準電流値自動算出工程と、前記水中ポンプ１３０運転時の電流値を測定してその電流値が前記空運転判断基準電流値になったときに前記水中ポンプ１３０への電力供給を停止するポンプ停止工程とを具備している。
【００３４】
そしてこの制御盤１０によれば、水中ポンプ１３０を据え付けた際に現地で締切運転を実施するのみで、締切運転により検出された電流値から自動的に空運転判断基準電流値が演算・設定され、従来のように直接井戸水位を検知するための水位検知器や、吐出圧力検知器や、流量検知器などを用いることなく、また使用する水中ポンプの機種や接続する電源ケーブルの長さによる電圧降下などを考慮することなく、高い精度で容易且つ確実に水中ポンプ１３０の空運転を防止することができる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記各例では本発明を深井戸ポンプ用の制御盤に適用した例を説明したが、深井戸ポンプ以外の各種水中ポンプ用の制御盤に用いても良い。また水中ポンプの構造や、表示兼操作部における各種スイッチやランプなどの表示の状態や、空運転判定制御部の構成や、操作手順なども種々の変更が可能である。
【図面の簡単な説明】
【００３６】
【図１】制御盤１０を適用した深井戸水中ポンプ装置１００の全体概略構成図である。
【図２】表示兼操作部２０を示す図である。
【図３】空運転判定制御部５０を示すブロック構成図である。
【図４】操作手順フロー図である。
【図５】他の空運転判定制御部５０を示すブロック構成図である。
【図６】他の操作手順フロー図である。
【符号の説明】
【００３７】
１０  制御盤（水中ポンプ用制御盤）
２０  表示兼操作部
５１  電流検出器
５５  記憶手段
５７  比較器
５９  演算器
１００  深井戸水中ポンプ装置
１２０  井戸（深井戸）
１３０  水中ポンプ
１３１  モータ部
１３３  水中ポンプ部
１４０  揚水管
１４１  バルブ（ポンプ吐出バルブ）
１５０  貯水槽
１６０  電源ケーブル
【図１】
0005083896.tif 000002
【図２】
0005083896.tif 000003
【図３】
0005083896.tif 000004
【図４】
0005083896.tif 000005
【図５】
0005083896.tif 000006
【図６】
0005083896.tif 000007